(57)【要約】【課題】運転席へのアクセスが容易な予備苗移送装置を備えた移植機を提供することを課題としている。【解決手段】走行機体１の側部に設けられ、走行機体１の前方から運転席８内のシート７の側方に至り、走行機体１上に畦際から予備苗１５を補給する予備苗移送装置１８を、走行機体１の左右いずれか一方側に配置し、他方に、予備苗１５を載置する予備苗載台１９を設け、予備苗載台１９を、シート７より前方位置に配置した。予備苗移送装置１８は、シート７の前方における左右いずれか一方側に配置された走行機体１の走行速度を設定調節する変速レバー１２の配置側に設けた。【選択図】図２
2007097502.tif 000002
【特許請求の範囲】
【請求項１】
運転席（８）を備えた走行機体（１）の後方に植付作業機（２）を連結し、走行機体（１）の側部に、走行機体（１）上に畦際から予備苗（１５）を補給する予備苗移送装置（１８）を設け、該予備苗移送装置（１８）が、走行機体（１）の前方から運転席（８）内のシート（７）の側方に至る移植機において、上記予備苗移送装置（１８）を、走行機体（１）の左右いずれか一方側に配置し、他方に、予備苗（１５）を載置する予備苗載台（１９）を設け、予備苗載台（１９）を、シート（７）より前方位置に配置した移植機。
【請求項２】
走行機体（１）の走行速度を設定調節する変速レバー（１２）を設け、該変速レバー（１２）を、シート（７）の前方における左右いずれか一方側に配置し、予備苗移送装置（１８）を、変速レバー（１２）の配置側に設けた請求項１の移植機。
【発明の詳細な説明】
【技術分野】
【０００１】
本発明は、予備苗移送装置を備えた移植機に関する。
【背景技術】
【０００２】
従来運転席を備えた走行機体の後方に植付作業機を連結し、走行機体の側部に、走行機体上に畦際から予備苗を補給する予備苗移送装置を設け、該予備苗移送装置が、走行機体の前方から運転席内のシートの側方に至る移植機が公知となっている。
【特許文献１】特開２００５−１７６８０号
【発明の開示】
【発明が解決しようとする課題】
【０００３】
上記移植機は、走行機体の左右両側に予備苗移送装置が設けられている。このため運転席へのアクセスは、予備苗移送装置が妨げになり、シートの左右いずれの側からも容易に行うことはできないという欠点があった。例えば予備苗移送装置を折り畳むことによって、シートの側方に空間を設け、該空間を介して運転者が乗降することも可能であるが、乗降が容易であるとはいえない。
【課題を解決するための手段】
【０００４】
上記課題を解決するための本発明の移植機は、運転席８を備えた走行機体１の後方に植付作業機２を連結し、走行機体１の側部に、走行機体１上に畦際から予備苗１５を補給する予備苗移送装置１８を設け、該予備苗移送装置１８が、走行機体１の前方から運転席８内のシート７の側方に至る移植機において、上記予備苗移送装置１８を、走行機体１の左右いずれか一方側に配置し、他方に、予備苗１５を載置する予備苗載台１９を設け、予備苗載台１９を、シート７より前方位置に配置したことを第１の特徴としている。
【０００５】
第２に走行機体１の走行速度を設定調節する変速レバー１２を設け、該変速レバー１２を、シート７の前方における左右いずれか一方側に配置し、予備苗移送装置１８を、変速レバー１２の配置側に設けたことを特徴としている。
【発明の効果】
【０００６】
以上のように構成される本発明の構造によると、シートの左右両側方のうち、予備苗載台が配置されている側は、空き空間となるため、運転席へのアクセスは、該空間を利用することによって容易となる。例えば運転者は上記空間を乗降用の空間として使用することによって容易に乗降することができるという利点がある。
【０００７】
走行機体の走行速度を設定調節する変速レバーを設け、該変速レバーを、シートの前方における左右いずれか一方側に配置し、予備苗移送装置を、変速レバーの配置側に設けることにより、運転者の乗降用の空間側に、変速レバーが位置しないため、運転者の乗降の際に、運転者が変速レバーに接触して、走行速度の設定が変わってしまう等の不都合を防止することができる。
【発明を実施するための最良の形態】
【０００８】
図１，図２は本発明を採用した移植機である乗用田植機の側面図及び平面図である。該乗用田植機は従来同様、走行機体１の後方に植付作業機２が上下昇降自在に連結されている。植付作業機２に設けられた苗載台３にマット苗を載置し、走行機体１を走行させながら植付作業機２の植付部４を作動させることによって、植付部４が苗載台３のマット苗から苗を掻き取り、圃場に植え付け、苗の植付作業を行う。
【０００９】
走行機体１の前方には、ボンネット６が設けられている。ボンネット６の後方には、左右の中央に位置するシート（座席）７を備えた運転席８が設けられている。シート７の前方にはフロント操作パネル９が設けられている。該フロント操作パネル９には、ステアリングハンドル１１が設けられている。
【００１０】
ステアリングハンドル１１は走行機体１の左右中央に位置している。フロント操作パネル９におけるステアリングハンドル１１の左側方には、エンジンからの駆動力を変速する変速レバー１２が設けられている。該変速レバー１２は前後及び左右揺動自在に設けられている。変速レバー１２の操作により走行機体１の走行速度が調節設定される。
【００１１】
ボンネット６の左右側方にはフロントステップ１３が設けられている。運転席８の床面を構成する運転席ステップ１４が、シート７の前方から側方に広がり設けられている。シート７の下方をカバーする機体カバー１６には、上記運転席ステップ１４より一段高く平坦な苗供給用ステップ１７がシート７の左右両側に位置して形成されている。
【００１２】
作業者はフロントステップ１３と苗供給用ステップ１７との間を運転席ステップ１４を通過して自由に移動することができる。フロントステップ１３と運転席ステップ１４と苗供給用ステップ１７とによって、走行機体１の側部（シート７より側方）に、作業者が走行機体１の側部前方から後方に移動する移動通路を形成している。
【００１３】
ボンネット６の左側方の機体側部には、苗載台３に補給する予備のマット苗（予備苗）を畦際から移送する予備苗移送装置１８が取り付けられている。ボンネット６の右側方の機体側部には、予備苗１５を予め載置する予備苗載台１９が取り付けられている。予備苗載台１９がシート１１を挟んだ変速レバー１２の反対側に、予備苗移送装置１８が変速レバー１２側に配置されている。
【００１４】
予備苗載台１９は走行機体１の右側に設けられたステー２１を介して走行機体１に支持されている。予備苗載台１９は、ボンネット６の前端位置よりわずかに後方位置からフロント操作パネル９の後端位置近傍に至る程度の前後長さを備えている。予備苗載台１９がシート７の側方に至ることはない。
【００１５】
予備苗移送装置１８は、走行機体１側に固定される固定苗台２２と、固定苗台２２の前方に位置する第１苗台２３と、固定苗台２２の後方に位置する第２苗台２４とから構成されている。
【００１６】
第１苗台２３と第２苗台２４は、固定苗台２２に対して回動可能に連結されている。固定苗台２２の底面側には固定板２６を介して支持フレーム２７が一体的に取り付けられている。支持フレーム２７の底面側の前後には、ブラケット２８が取り付けられている。
【００１７】
これに対して走行機体１の左側の前後には、ステー２９が設けられている。図３に示されるように、ステー２９は、下端部分が走行機体１側に取り付けられ、上方に向かって突出している。ステー２９の上端側は外側に向かって湾曲し、概ね水平状態となっている。
【００１８】
前方側のステー２９の略水平となった上端部分にはベース板３１が、後方側のステー２９の略水平となった上端部分にはベース板３２が取り付けられている。ベース板３１，３２と前後のブラケット２８とはそれぞれ対応している。ベース板３１，３２と各々対応するブラケット２８は、ボルト３３によって固定されている。
【００１９】
これにより固定苗台２２が走行機体１に取り付けられ、予備苗移送装置１８が走行機体１に取り付け支持される。予備苗移送装置１８は、平面視において、一部がフロントステップ１３，運転席ステップ１４，供給用ステップ１７と重複する。これにより予備苗移送装置１８は、苗載台３の幅内に略収容される。
【００２０】
予備苗移送装置１８の外側端位置と苗載台３の外側端位置とは、平面視において略同位置となり、予備苗移送装置１８が、本乗用田植機の予備苗移送装置１８を除く機体幅から外側に突出することはなく、予備苗移送装置１８は上記機体幅内に収容される。ただし左側の移動通路は予備苗移送装置１８が入り込んだ状態となる。
【００２１】
予備苗移送装置１８は、図１に示されるように、各苗台２２，２３，２４が側面視で一直線状に展開される展開姿勢Ａと、図４に示されるように、第１苗台２３及び第２苗台２４が固定苗台２２の上方に折畳まれた折畳み状態となる折畳み姿勢Ｂとに姿勢切換可能な折畳み式となっている。
【００２２】
展開姿勢Ａの予備苗移送装置１８は前高後低の傾斜姿勢となっている。予備苗移送装置１８は、展開姿勢Ａにおいて、第１苗台２３の前端が走行機体１の前端より前方に突出し、第２苗台２４の後端が植付作業機２の苗載台３に近接するように、苗供給用ステップ１７の上方近傍に位置する。これにより展開姿勢Ａの予備苗移送装置１８は、走行機体１の前方からシート７の側方を通過して苗載台３の前端近傍に至る。
【００２３】
各苗台２２，２３，２４は、それぞれ左右の側板３６の間にローラが軸に一体的に形成されたローラ軸３７が回転自在に取り付けられた構造となっている。展開姿勢Ａの予備苗移送装置１８において、第１苗台２３の前端から予備苗１５をローラ軸３７の上に載置すると、予備苗１５は、予備苗１５の苗箱がローラ軸３７のローラに接し、予備苗移送装置１８の傾斜によって、第２苗台２４の後端に向かって自重により順次移動する。
【００２４】
予備苗１５の移動は、ローラ軸３７が回転して苗箱を案内するため、円滑に行われる。予備苗移送装置１８は、展開姿勢Ａでローラコンベア状となり、第１苗台２３の前端を畦際に位置させ、畦際から第１苗台２３に予備苗１５を補給することで、予備苗移送装置１８に複数の予備苗１５を連続的に補給することができる。予備苗移送装置１８の前後長さいっぱいに複数の予備苗１５を載置してストックすることができる。
【００２５】
オペレータは苗供給用ステップ１７に立ち、第２苗台２４の後端側の予備苗１５を苗載台３に載せることによって苗載台３への苗の補給を容易に行うことができる。第２苗台２４の最後端の予備苗１５からの苗載台３への苗の補給後は、当該予備苗１５の苗箱やスクレーパを予備苗移送装置１８に設けられたスクレーパ入れ３８に入れることができる。
【００２６】
予備苗１５の苗箱やスクレーパをスクレーパ入れ３８に入れ、苗台から下ろすと、前方の予備苗１５が自重によりローラ軸３７上を移動し、苗載台３への次の補給候補となり、苗載台３に順次連続的に苗を補給することができる。スクレーパ入れ３８は予備苗移送装置１８の走行機体内側に設けられている。
【００２７】
第２苗台２４の高さは、苗供給用ステップ１７に立つオペレータが、最後端の予備苗１５からマット苗を容易にとることができるように、前述のステアリングハンドル１１の高さ位置程度に、ある程度高く設定されている。これによりオペレータはほとんど屈むことなく容易に予備苗１５を取り、苗載台３に補給することが可能となっている。また畦際からの予備苗１５の補給も容易となり、オペレータの作業姿勢が良くなり疲労が少なくなる。
【００２８】
なお第２苗台２４の後端が上記のように比較的高位置となっているため、相対的に第１苗台２３の前端の位置が高くなっている。このため予備苗移送装置１８が展開姿勢Ａであり、第１苗台２３の下方に施肥用の肥料タンクが配置されている場合でも、肥料タンクに上面側の供給口からペースト肥料等の肥料を容易に供給することができる。その他トラック等から直接予備苗１５を第１苗台２３の前端から予備苗移送装置１８に補給することも可能となる。
【００２９】
本予備苗移送装置１８は、第１苗台２３のみを、固定苗台２２の上方に折り畳んだ状態に展開することもできる。第１苗台２３のみを折畳み状態とすることによって、固定苗台２２の前端から予備苗１５を予備苗移送装置１８に供給することができる。畦際から走行機体１までが比較的近い場合、予備苗１５の補給を容易に行うことができる。
【００３０】
なお折畳み状態の第１苗台２３の上部（展開状態Ａでの第１苗台２３の下部）に予備苗１５を載置し、第１苗台２３を通常の補助苗載台として使用することもできる。第１苗台２３を折畳み状態とすると、ボンネット６の前方に予備苗移送装置１８がほとんど突出しないため、走行機体１の回行性は高い。
【００３１】
なお予備苗載台１９は、従来同様不要な場合は折り畳むことができるため、予備苗載台１９や予備苗移送装置１８が、本乗用田植機の予備苗移送装置１８を除く機体幅から殆ど突出することがなく、略機体幅の範囲のスペースで、本乗用田植機を格納することができる。
【００３２】
またボンネット６はフロントステップ１３と一体的に開閉回動が可能となっている。予備苗移送装置１８及び予備苗載台１９は、ボンネット６とフロントステップ１３との一体的な開閉を妨げることはない。
【００３３】
前述のようにシート７の右側方に、予備苗載台１９が位置することがないため、シート７の右側方は空き空間となっている。このため運転席８へのアクセスは、該空間を利用して容易に行うことができる。例えば運転者は上記空間を乗降用の空間として乗降を容易に行うことができる。
【００３４】
このとき上記空き空間はシート７を挟んで変速レバー１２の反対側に設けられている。このため該空間を介した運転席８へのアクセス時、例えば運転者の乗降時に、運転者が変速レバー１２に誤って接触する可能性が極めて低くなり、変速レバー１２への誤接触により変速レバー１２を揺動させてしまうような不都合が防止される。
【００３５】
一方予備苗移送装置１８は、フロントステップ１３及び運転席ステップ１４及び供給用ステップ１７の上方に重複するため、予備苗移送装置１８が妨げとなり、ステップ１３，１４，１７上を移動することが困難となる。
【００３６】
このため変速レバー１２側の移動通路の移動が規制され、上記移動通路の移動中に、変速レバー１２への誤接触により変速レバー１２を揺動させてしまうような不都合が防止される。いずれの場合も変速レバー１２を揺動させると、走行機体１の走行速度の設定が変わってしまう等の不都合があり、この不都合を防止することができる。
【００３７】
なお予備苗移送装置１８を折畳み姿勢Ｂとしたり、第２苗台２４のみを、固定苗台１９の上方に折り畳んだ状態とすること等によって、少なくとも第２苗台２４を折畳み状態とすることにより、シート７の左側方に空き空間が形成される。これにより該空間を利用してシート７の左側方から運転席８にアクセスすることができる。
【００３８】
ただしシート７の左側方には変速レバー１２が設けられているため、上記シート７の左側方に形成される空間を利用して運転席８にアクセスする場合は、前述のシート７の右側方に形成される空間を利用して運転席８にアクセスする場合に比較して、変速レバー１２に接触して走行機体１の走行速度の設定を誤って変えてしまう危険性が高くなる。
【００３９】
予備苗移送装置１８は、上記のように第２苗台２４を折畳み状態とすると、後端が変速レバー１２の前後揺動操作範囲より前方に位置するように取り付けられている。このため第２苗台２４の折畳み状態においては、変速レバー１２を最前方に揺動させても、変速レバー１２と予備苗移送装置１８とが当接することはない。
【００４０】
従って第２苗台２４を折畳み状態とした場合、予備苗移送装置１８を、ボンネット６の側面により近づけた状態で走行機体１に取り付けることができ、予備苗移送装置１８を走行機体１上によりコンパクトに取り付けることができる。なお予備苗移送装置１８の走行機体１に対する取り付け位置は、ベース板３１，３２と各々対応するブラケット２８とのボルト固定位置を変更することによって容易に行うことができる。例えば予備苗移送装置１８がフロントステップ１３及び運転席ステップ１４及び供給用ステップ１７の外側に位置するように取り付けることも可能である。
【図面の簡単な説明】
【００４１】
【図１】予備苗移送装置を展開姿勢とした乗用田植機の側面図である。
【図２】乗用田植機の平面図である。
【図３】予備苗移送装置の取り付け状態を示す要部正面図である。
【図４】予備苗移送装置を折畳み姿勢とした乗用田植機の側面図である。
【符号の説明】
【００４２】
１    走行機体
２    植付作業機
７    シート
８    運転席
１２  変速レバー
１５  予備苗
１８  予備苗移送装置
１９  予備苗載台
【図１】
2007097502.tif 000003
【図２】
2007097502.tif 000004
【図３】
2007097502.tif 000005
【図４】
2007097502.tif 000006